(57)【特許請求の範囲】
【請求項１】
扱室の内面側に、扱室内を流動する処理物に接触して処理物の送り速度を調整する送塵ガイドを複数備え、該複数の送塵ガイドのそれぞれを、それぞれの回動軸を支点とする回動にもとづいて、処理物の流動路に対する開度をそれぞれ各別に変更可能にすると共に、各付勢手段の付勢力で送塵ガイドを閉じ方向である初期開度側にそれぞれ各別に付勢し、処理物から受ける負荷に応じて、各付勢手段の付勢力に抗して送塵ガイドをそれぞれ各別に退避回動させる脱穀装置であって、
前記各回動軸を中心としてそれぞれ各別に回動可能なブラケットと、
ブラケットと送塵ガイドとの間にそれぞれ構成され、各付勢手段によりそれぞれ付勢された送塵ガイドの閉じ方向への回動を初期開度位置でそれぞれ各別に規制する回動規制手段と、
各ブラケットの回動位置をそれぞれ段階的に変更する回動位置変更手段と、を備え、
各回動位置変更手段による各ブラケットの回動位置変更にもとづいて、各付勢手段による各送塵ガイドの付勢力を変えずに各送塵ガイドの初期開度をそれぞれ段階的に調整することを特徴とする脱穀装置の送塵ガイド装置。
【請求項２】
前記回動位置変更手段は、ブラケットと一体的に回動可能な調整具と、該調整具と複数の回動位置で係合する係合部材と、該係合部材と係合した調整具を締め付け固定するノブ付きボルトと、を備えることを特徴とする請求項１に記載の脱穀装置の送塵ガイド装置。
【発明の詳細な説明】
【技術分野】
【０００１】
本発明は、コンバインなどの脱穀装置の送塵ガイド装置に関する。
【背景技術】
【０００２】
扱室の内面側に、扱室内を流動する処理物に接触して処理物の送り速度を調整する送塵ガイドを設けた脱穀装置が知られている。例えば、特許文献１に示される脱穀装置では、送塵ガイドを、回動軸を支点とする回動にもとづいて、処理物の流動路に対する開度を変更可能にすると共に、付勢部材の付勢力で送塵ガイドを初期開度側に付勢し、処理物から受ける負荷に応じて、付勢部材の付勢力に抗して送塵ガイドを退避回動させるように構成されている。このようにすると、扱室内の負荷に応じて処理物の送り速度を自動的に調整することができるので、脱穀性能が向上するだけでなく、処理物の詰りや過負荷による部品の破損を防止することが可能になる。
【０００３】
また、特許文献１に示される脱穀装置では、送塵ガイドの初期開度を調整できるように構成されている。このようにすると、脱穀する処理物の条件（種類、量など）に応じて送塵ガイドの初期開度を調整することができるので、さらなる脱穀性能の向上が図れる。
【先行技術文献】
【特許文献】
【０００４】
【特許文献１】特許第４６３９２２１号公報
【発明の概要】
【発明が解決しようとする課題】
【０００５】
しかしながら、特許文献１に示される脱穀装置では、送塵ガイドの初期開度調整を長孔の範囲で無段階に行なうようにしていたので、調整される初期開度にバラツキが生じ易い。その結果、送塵ガイドの初期開度調整を正確かつ安定に行なうことが難しく、特に、送塵ガイドの開度が脱穀性能に大きな影響を及ぼす汎用コンバインでは、送塵ガイドの開度調整不良によって脱穀性能が大幅に低下する惧れがあった。
【０００６】
また、特許文献１に示される脱穀装置では、付勢部材の自由長状態で送塵ガイドを初期開度に保持するので、送塵ガイドの初期開度姿勢が安定しないだけでなく、付勢部材の加工のバラツキによって送塵ガイドの初期開度が変化する惧れがあった。
【課題を解決するための手段】
【０００７】
本発明は、上記の如き実情に鑑みこれらの課題を解決することを目的として創作されたものであって、請求項１の発明は、扱室の内面側に、扱室内を流動する処理物に接触して処理物の送り速度を調整する送塵ガイドを複数備え、該複数の送塵ガイドのそれぞれを、それぞれの回動軸を支点とする回動にもとづいて、処理物の流動路に対する開度をそれぞれ各別に変更可能にすると共に、各付勢手段の付勢力で送塵ガイドを閉じ方向である初期開度側にそれぞれ各別に付勢し、処理物から受ける負荷に応じて、各付勢手段の付勢力に抗して送塵ガイドをそれぞれ各別に退避回動させる脱穀装置であって、前記各回動軸を中心としてそれぞれ各別に回動可能なブラケットと、ブラケットと送塵ガイドとの間にそれぞれ構成され、各付勢手段によりそれぞれ付勢された送塵ガイドの閉じ方向への回動を初期開度位置でそれぞれ各別に規制する回動規制手段と、各ブラケットの回動位置をそれぞれ段階的に変更する回動位置変更手段と、を備え、各回動位置変更手段による各ブラケットの回動位置変更にもとづいて、各付勢手段による各送塵ガイドの付勢力を変えずに各送塵ガイドの初期開度をそれぞれ段階的に調整することを特徴とする脱穀装置の送塵ガイド装置である。
請求項２の発明は、前記回動位置変更手段は、ブラケットと一体的に回動可能な調整具と、該調整具と複数の回動位置で係合する係合部材と、該係合部材と係合した調整具を締め付け固定するノブ付きボルトと、を備えることを特徴とする。
【発明の効果】
【０００８】
請求項１の発明によれば、付勢手段による送塵ガイドの付勢力を変えずに送塵ガイドの初期開度を段階的に調整するので、送塵ガイドの初期開度調整を正確かつ安定に行なうことができるだけでなく、付勢力の変化による脱穀性能の低下も回避できる。しかも、送塵ガイドは、回動規制手段によって規定される初期開度位置（閉じ方向の回動限界位置）に付勢手段で押圧保持されるので、付勢部材の自由長状態で初期開度に保持する場合に比べ、送塵ガイドを初期開度に安定に保持できるだけでなく、付勢部材の加工のバラツキによって送塵ガイドの初期開度が変化することも回避できる。
また、請求項２の発明によれば、係合部材によって係合保持された調整具を、さらにノブ付きボルトで締め付け固定するので、係合のみで調整具の回動位置を保持する場合のように、振動などで係合が外れることを防止できる。
【図面の簡単な説明】
【０００９】
【図１】脱穀装置の内部側面図である。
【図２】脱穀装置の内部正面図である。
【図３】扱室の上部を示す斜視図である。
【図４】送塵ガイド装置の全体平面図である。
【図５】（Ａ）、（Ｂ）は送塵ガイド装置の作用を示す説明図である。
【図６】送塵ガイド装置の分解斜視図である。
【図７】送塵ガイド装置の要部側面図である。
【図８】送塵ガイド調整の初期開度調整を示す説明図である。
【発明を実施するための形態】
【００１０】
以下、本発明の実施の形態について、図面に基づいて説明する。図１及び図２において、１は汎用コンバインに設けられる脱穀装置であって、該脱穀装置１は、前方の供給口から刈取茎稈が全稈投入される扱室２と、扱室２から漏下した穀粒を選別する選別室３とを備えて構成されており、選別室３で選別された穀粒が図示しない穀粒タンクに移送され、ここに貯溜されるようになっている。
【００１１】
扱室２は、扱歯４によって脱穀処理を行なう扱胴５と、扱胴５の下側に沿って配置され、茎稈から脱粒した穀粒を漏下させる受網６と、扱室２内を流動する処理物に接触して処理物の送り速度を調整する複数の送塵ガイド７と、受網６から漏下せずに扱室２の終端まで達した排出物を排出する排塵口８とを備えて構成されている。本実施形態の扱胴５は、扱室２内に前後を向いて配置される回転軸９を中心として回転駆動される。つまり、全稈投入型の脱穀装置としては、扱胴軸心が前後方向を向く軸流式と、扱胴軸心が左右方向を向く直流式とが知られているが、実施形態の汎用コンバインでは軸流式を採用している。
【００１２】
選別室３は、受網６から漏下した穀粒を揺動選別する揺動選別体１０と、揺動選別体１０の前方で選別風を起風する圧風ファン１１と、一番物を回収する一番ラセン１２と、二番物を回収する二番ラセン１３とを備えて構成されている。そして、一番ラセン１２によって回収された一番物は、図示しない揚穀筒を介して穀粒タンクに移送され、二番ラセン１３によって回収された二番物は、二番還元筒１４を介して扱室２内に還元されるようになっている。
【００１３】
揺動選別体１０は、受網６から漏下した穀粒を後方へ順次搬送するグレンパン１５と、グレンパン１５の後方で穀粒を篩い選別するチャフシーブ１６と、チャフシーブ１６から漏下した穀粒をさらに篩い選別するグレンシーブ１７と備える揺動アッセンブリであり、図示しない揺動機構によって所定の周期で連続的に揺動されるようになっている。
【００１４】
次に、本発明の要部である送塵ガイド７の基本的な構成及び作用について、図３〜図５を参照して説明する。送塵ガイド７は、扱室２内を流動する処理物に接触して処理物の送り速度（扱胴回転軸方向の送り速度）を調整する部材であり、図３及び図４に示すように、扱室２の上部を覆う扱室天板１８に扱胴回転軸方向に所定の間隔を隔てて複数設けられている。
【００１５】
各送塵ガイド７は、回動軸１９を支点とする回動にもとづいて、処理物の流動路に対する開度をそれぞれ各別に変更可能に構成されると共に、各別に設けた付勢部材（付勢手段）２０の付勢力でそれぞれ初期開度側に付勢されており、処理物から受ける負荷が大きいときは、付勢部材２０の付勢力に抗してそれぞれ各別に退避回動するようになっている。尚、図４に示すように、送塵ガイド７の回動方向は、送塵ガイド７の扱胴回転下流側が扱室終端側に変位する方向を開き方向、送塵ガイド７の扱胴回転下流側が扱室始端側に変位する方向を閉じ方向とする。
【００１６】
例えば、図５の（Ａ）に示すように、送塵ガイド７が処理物の流動路を閉じる姿勢のときは、処理物の後方への送り速度が遅くなるので、処理物が扱室２内で脱穀作用を受ける時間が長くなり、また、処理物から受ける負荷が大きいときは、図５の（Ｂ）に示すように、付勢部材２０の付勢力に抗して送塵ガイド７が開き方向に自動的に退避回動することにより、処理物の送り速度を速くし、藁屑などのはけを良くする。このような送塵ガイド７によれば、扱室２内の負荷に応じて処理物の送り速度をそれぞれ自動的に調節することができるので、脱穀性能が向上するだけでなく、処理物の詰りや、過負荷による部品の破損を防止することが可能になる。
【００１７】
次に、送塵ガイド７及び付勢部材２０を含む送塵ガイド装置２１の構成について、図６及び図７を参照して説明する。これらの図に示すように、送塵ガイド装置２１は、送塵ガイド７、付勢部材２０、ストッパ部材２２、ブラケット２３、カバー体２４、調整具２５、係合部材２６、ノブ付きボルト２７などを備えて構成されている。
【００１８】
送塵ガイド７は、扱胴５の上側に沿う円弧部を有した板状の部材であり、その中間部には、上方に延出する回動軸１９が一体的に突設されている。回動軸１９は、扱室天板１８に設けられる軸受２８によって回動自在に支持されると共に、先端側に螺着されるナット２９によって抜止めされている。
【００１９】
ストッパ部材２２は、軸受２８の上方で回動軸１９の中間部に回動不能に外嵌するボス２２ａと、ボス２２ａの下端部に一体的に溶着され、ボス２２ａから側方に延出するプレート２２ｂと、プレート２２ｂから上方に突設されるスプリング係合ピン２２ｃ及びストッパピン２２ｄと、ストッパピン２２ｄの上端部にプレート２２ｅを介して一体的に設けられるナット２２ｆとを備えており、送塵ガイド７と一体的に回動するようになっている。
【００２０】
ブラケット２３は、ストッパ部材２２の上方に設けられるプレート状の部材であり、ブラケット２３に対する送塵ガイド７の相対的な回動範囲を規制する長孔（回動規制手段）２３ａと、付勢部材２０の一端が係合されるスプリング係合片２３ｂと、調整具２５に係合される調整具係合ピン２３ｃとを備えている。長孔２３ａは、回動軸１９を中心とする円弧状の長孔であり、ストッパ部材２２のストッパピン２２ｄと係合することにより、ブラケット２３に対する送塵ガイド７の相対的な回動範囲を規制している。
【００２１】
本実施形態の付勢部材２０は、ねじりコイルバネであり、コイル部２０ａと、コイル部２０ａの両端から所定の巻き角度を存して延出する第一アーム部２０ｂ及び第二アーム部２０ｃを有している。そして、コイル部２０ａをボス２２ａの外周で回動自在に支持し、第一アーム部２０ｂをブラケット２３のスプリング係合片２３ｂに係合させる一方、第二アーム部２０ｃをストッパ部材２２のスプリング係合ピン２２ｃに係合させることで、ストッパ部材２２を介して送塵ガイド７を閉じ方向に付勢する。これにより、長孔２３ａの範囲で回動が許容される送塵ガイド７は、付勢部材２０の付勢によって回動範囲の初期開度側の端（閉じ方向の回動限界位置）に押圧保持されるようになっている。
【００２２】
カバー体２４は、付勢部材２０、ストッパ部材２２及びブラケット２３の上方を覆うように扱室天板１８に取付けられている。調整具２５とブラケット２３は、カバー体２４を挟んで上下に重合しており、いずれも回動軸１９の先端部を中心として回動可能に構成されている。また、カバー体２４の長孔２４ａを介してブラケット２３の調整具係合ピン２３ｃが調整具２５の係合孔２５ａに係合することにより、調整具２５とブラケット２３が一体的に回動するようになっている。
【００２３】
尚、本実施形態のカバー体２４は、送塵ガイド７の開き方向の回動限界位置を規定するための長孔２４ｄを備えている。この長孔２４ｄは、回動軸１９を中心とする円弧状の長孔であり、ストッパ部材２２のストッパピン２２ｄと係合することにより、カバー体２４に対する送塵ガイド７の相対的な回動範囲を規制する。そして、長孔２４ｄは、送塵ガイド７が開き方向の回動限界位置に到達したとき、それ以上のストッパピン２２ｄの変位を阻止して送塵ガイド７の回動規制を行なうが、この回動規制位置は、後述する送塵ガイド７の初期開度調整に拘わらず一定である。従って、送塵ガイド７の退避回動範囲は、初期開度調整に応じて増減することになる。例えば、初期開度が大きいほど退避回動範囲は狭くなる（図８参照）。
【００２４】
係合部材２６は、カバー体２４の上面に一体的に設けられており、回動軸１９を中心とする円弧に沿って複数の係合歯（ノッチ）２６ａが形成されている。これらの係合歯２６ａは、調整具２５に形成される係合歯２５ｂとの係合により、調整具２５及びブラケット２３の回動を所定の回動位置で規制するようになっている。換言すれば、係合部材２６に対する調整具２５の係合位置を選択的に変更することにより、調整具２５及びブラケット２３の回動位置を段階的に変更することができるようになっている。
【００２５】
ノブ付きボルト２７は、調整具２５の上方から、調整具２５の挿通孔２５ｃとカバー体２４の長孔２４ｂを介して、ブラケット２３の螺子孔２３ｄに螺合する締め付け固定具であり、その締め付け操作によって、係合部材２６に係合した調整具２５とブラケット２３との間でカバー体２４を挟持することにより、所定の回動位置に調整されたブラケット２３の回動を確実に規制するようになっている。また、ノブ付きボルト２７は、調整具２５の挿通孔２５ｄとカバー体２４の長孔２４ｃとブラケット２３の挿通孔２３ｅを介して、ストッパ部材２２のナット２２ｆに螺合することにより、任意の開度位置で送塵ガイド７を回動不能に固定することが可能である。つまり、ノブ付きボルト２７を螺子孔２３ｄに螺合する状態とナット２２ｆに螺合する状態とに付け替えることによって、送塵ガイド７を退避回動が可能な状態と退避回動が不可能な状態とに切り換えることができるようになっている。
【００２６】
次に、送塵ガイド７の初期開度調整について、図８を参照して説明する。送塵ガイド７は、ブラケット２３の長孔２３ａとストッパ部材２２のストッパピン２２ｄとの係合により回動範囲が規制されており、付勢部材２０の付勢によってストッパピン２２ｄが長孔２３ａの一端（閉じ方向の回動限界位置）に押圧保持されることにより、送塵ガイド７が初期開度位置に保持されるようになっている。
【００２７】
送塵ガイド７の初期開度を調整する場合は、まず、ノブ付きボルト２７を緩み方向に回し操作し、調整具２５の係合歯２５ｂをカバー体２４の上面から持ち上げられるようにする。このとき、調整具２５に形成される摘み片２５ｅを指先で摘めば、調整具２５の係合歯２５ｂを容易に持ち上げることができる。
【００２８】
調整具２５の係合歯２５ｂを持ち上げると、調整具２５と係合部材２６の係合が解除され、調整具２５の回動位置が変更可能となる。ここで、調整具２５を回動操作すると、ブラケット２３、付勢部材２０、ストッパ部材２２及び送塵ガイド７が一体的に回動するので、送塵ガイド７が所望の初期開度となる調整具２５の回動位置を選択し、その位置で調整具２５の係合歯２５ｂを係合部材２６の係合歯２６ａに係合させる。
【００２９】
換言すれば、送塵ガイド７の初期開度は、係合部材２６に対する調整具２５の係合位置によって規定されるので、調整具２５の係合歯２５ｂを係合させる係合部材２６の係合歯２６ａを処理物の条件毎にあらかじめ決めておけば、送塵ガイド７の初期開度を処理物の条件に適した初期開度に正確かつ容易に調整することが可能になる。例えば、「処理物Ａを脱穀する場合は、調整具２５の係合歯２５ｂを係合部材２６の右からＮ番目の係合歯２６ａに係合」といった説明文をコンバインの取扱説明書などに記載する。
【００３０】
送塵ガイド７が所望の初期開度となった状態で調整具２５の係合歯２５ｂを係合部材２６の係合歯２６ａに係合させたら、ノブ付きボルト２７を締め方向に回し操作する。これにより、調整具２５と係合部材２６の係合が振動などで外れることを確実に防止できる。
【００３１】
叙述の如く構成された本実施形態によれば、扱室２の内面側に、扱室２内を流動する処理物に接触して処理物の送り速度を調整する複数の送塵ガイド７を備え、該各送塵ガイド７を、回動軸１９を支点とする回動にもとづいて、処理物の流動路に対する開度をそれぞれ各別に変更可能にすると共に、付勢部材２０の付勢力で送塵ガイド７を初期開度側にそれぞれ付勢し、処理物から受ける負荷が大きいときは、付勢部材２０の付勢力に抗して送塵ガイド７をそれぞれ退避回動させる脱穀装置１であって、回動軸１９を中心として回動可能なブラケット２３と、ブラケット２３と送塵ガイド７との間に構成され、送塵ガイド７を開度が閉じる方向に付勢する付勢手段（付勢部材２０）と、ブラケット２３と送塵ガイド７との間に構成され、付勢手段により付勢された送塵ガイド７の閉じ方向への回動を初期開度位置でそれぞれ規制する回動規制手段（長孔２３ａ、ストッパピン２２ｄ）と、ブラケット２３の回動位置をそれぞれ段階的に変更する回動位置変更手段（調整具２５、係合部材２６、ノブ付きボルト２７）と、を備え、回動位置変更手段によるブラケット２３の回動位置変更にもとづいて、各付勢手段による送塵ガイド７の付勢力を変えずに送塵ガイド７の初期開度をそれぞれ段階的に調整するので、各送塵ガイド７の初期開度調整を正確かつ安定に行なうことができるだけでなく、付勢力の変化による脱穀性能の低下も回避できる。しかも、各送塵ガイド７は、回動規制手段によって規定される初期開度位置（閉じ方向の回動限界位置）にそれぞれ付勢手段で各別に押圧保持されるので、付勢部材２０の自由長状態で初期開度に保持する場合に比べ、各送塵ガイド７を初期開度に安定に保持できるだけでなく、付勢部材２０の加工のバラツキによって送塵ガイド７の初期開度が変化することも回避できる。
【００３２】
また、回動位置変更手段は、ブラケット２３と一体的に回動可能な調整具２５と、該調整具２５と複数の回動位置で係合する係合部材２６と、該係合部材２６と係合した調整具２５を締め付け固定するノブ付きボルト２７と、を備えるので、係合のみで調整具２５の回動位置を保持する場合のごとく、振動などで係合が外れることを防止できる。
【符号の説明】
【００３３】
１  脱穀装置
２  扱室
５  扱胴
６  受網
７  送塵ガイド
１８  扱室天板
１９  回動軸
２０  付勢部材
２１  送塵ガイド装置
２２  ストッパ部材
２２ｄ  ストッパピン
２３  ブラケット
２３ａ  長孔
２４  カバー体
２５  調整具
２５ｂ  係合歯
２６  係合部材
２６ａ  係合歯
２７  ノブ付きボルト
【図１】
0005905307.tif 000002
【図２】
0005905307.tif 000003
【図３】
0005905307.tif 000004
【図４】
0005905307.tif 000005
【図５】
0005905307.tif 000006
【図６】
0005905307.tif 000007
【図７】
0005905307.tif 000008
【図８】
0005905307.tif 000009